(57)【要約】      （修正有）【課題】天井や器具本体等に設けられたソケット装置に装着され、ランプ装置の動作を制御するアダプタ装置およびこのアダプタ装置を具備する照明装置を提供する。【解決手段】アダプタ装置１は、上面中央部に突出部７、下面中央部に挿入孔８が設けられた円筒状のアダプタ本体２と、上面２ａに設けられた一対の接続ピン３と、下面２ｂに設けられ、内側にランプピンに電気接続する一対の受金１０，１０が配設されている一対の接続孔４，４と、一対の受金１０，１０を結ぶ仮想直線の両側にそれぞれ外周面２ｃと略同一面に受光窓５ａが設けられてアダプタ本体２内に設けられた複数のセンサ部５と、センサ部５が受信した受信信号に応じてランプ装置の動作を制御する制御回路部６とを具備している。【選択図】図２
2010238579.tif 000002
【特許請求の範囲】
【請求項１】
上面および下面がそれぞれ平坦状に形成されるとともに、その上面中央部に突出部が設けられ、その下面中央部に挿入孔が設けられた円筒状のアダプタ本体と；  このアダプタ本体の上面に前記突出部を挟み回転対称の位置に突出して設けられ、先端側が径大部に形成されている一対の接続ピンと；  前記アダプタ本体の下面に前記挿入孔を挟み回転対称に設けられ、前記接続ピンと同等に形成されたランプピンが挿入され、内側に当該ランプピンに電気接続する一対の受金が配設されている一対の接続孔と；  前記アダプタ本体の上面および下面に挟まれる外周面側であって、前記一対の受金を結ぶ仮想直線の両側にそれぞれ当該外周面と略同一面となるように受光窓が設けられて、前記アダプタ本体内に設けられた複数のセンサ部と；  前記アダプタ本体内に設けられ、入力側が前記一対の接続ピンに接続され、出力側が前記一対の受金に接続され、前記センサ部が受信した受信信号に応じて前記一対の受金に接続されるランプ装置の動作を制御する制御回路部と；を具備していることを特徴とするアダプタ装置。
【請求項２】
前記制御回路部は、前記突出部に収納されていることを特徴とする請求項１記載のアダプタ装置。
【請求項３】
前記突出部が挿入される挿通孔および前記一対の接続ピンがそれぞれ電気接続される一対の受金部を有するソケット装置と；  このソケット装置の挿通孔に前記突出部が挿入され、前記一対の受金部に前記一対の接続ピンが電気接続するように前記ソケット装置に着脱可能に装着される請求項１または２記載のアダプタ装置と；  このアダプタ装置の挿入孔に挿入される突出体および前記一対の受金に電気接続される一対のランプピンを有してなり、前記制御回路部により動作が制御されるランプ装置と；を具備していることを特徴とする照明装置。
【発明の詳細な説明】
【技術分野】
【０００１】
天井や器具本体等に設けられたソケット装置に装着され、ランプ装置の動作を制御するアダプタ装置およびこのアダプタ装置を具備する照明装置に関する。
【背景技術】
【０００２】
天井取付けのシーリングコンセントと照明器具の間に、リモコン機能を持ったアタッチメント（アダプタ）を取り付ける照明器具用リモコンアタッチメントが提案されている（特許文献１参照）。この従来技術のアタッチメントは、リモコン操作により照明器具の点消灯を行うものであり、室内の任意の場所からも点消灯できるように、信号受信部をリモコンアタッチメント（アダプタ本体）から延出させている。
【先行技術文献】
【特許文献】
【０００３】
【特許文献１】特開２００８−３００３４１号公報（第２頁、第１図）
【発明の概要】
【発明が解決しようとする課題】
【０００４】
ＧＸ５３形の口金部を設けたランプ装置が提案されている。このＧＸ５３形の口金部は、その中央部に突出体が設けられ、当該口金部を装着するソケット装置には、その中央部に挿通孔が形成されている。このため、当該口金部とソケット装置との間にアダプタを設けようとすると、アダプタにソケット装置と同様に口金部の突出体を挿通させる挿通孔を設ける必要があり、アダプタ内部に外部信号を処理し制御する制御回路などを収納するスペースを確保しにくく、アダプタが大型化するなどの不都合があった。  
【０００５】
また、特許文献１のアタッチメントのように、信号受信部をアダプタ本体から延出させると、ＧＸ５３形の口金部やソケット装置の外観を損ねたり、信号受信部が器具本体などに干渉するなどの不具合があった。  
【０００６】
本発明は、ＧＸ５３形の口金部やソケット装置の外観を損なうことなく設けられ、ランプ装置の動作を制御するアダプタ装置およびこのアダプタ装置を具備する照明装置を提供することを目的とする。
【課題を解決するための手段】
【０００７】
請求項１に記載のアダプタ装置の発明は、上面および下面がそれぞれ平坦状に形成されるとともに、その上面中央部に突出部が設けられ、その下面中央部に挿入孔が設けられた円筒状のアダプタ本体と；このアダプタ本体の上面に前記突出部を挟み回転対称の位置に突出して設けられ、先端側が径大部に形成されている一対の接続ピンと；前記アダプタ本体の下面に前記挿入孔を挟み回転対称に設けられ、前記接続ピンと同等に形成されたランプピンが挿入され、内側に当該ランプピンに電気接続する一対の受金が配設されている一対の接続孔と；前記アダプタ本体の上面および下面に挟まれる外周面側であって、前記一対の受金を結ぶ仮想直線の両側にそれぞれ当該外周面と略同一面となるように受光窓が設けられて、前記アダプタ本体内に設けられた複数のセンサ部と；前記アダプタ本体内に設けられ、入力側が前記一対の接続ピンに接続され、出力側が前記一対の受金に接続され、前記センサ部が受信した受信信号に応じて前記一対の受金に接続されるランプ装置の動作を制御する制御回路部と；を具備していることを特徴とする。  
【０００８】
本発明および以下の各発明において、特に言及しない限り、各構成は以下による。  
【０００９】
上面中央部の突出部および一対の接続ピンは、ＧＸ５３形などの口金構造が用いられる。また、下面中央部の挿入孔および一対の接続孔は、ＧＸ５３形などの口金構造が装着される構造が用いられる。  
【００１０】
センサ部は、リモコンセンサ、人感センサ、照度センサや昼光センサなどのいずれで形成されてもよいが、同一のセンサが少なくとも２個設けられる。  
【００１１】
「略同一面」とは、受光窓が外周面より幾分突出していてもよいことを意味する。  
【００１２】
「ランプ装置の動作」とは、ランプの点灯、消灯、調光や点滅などを意味する。  
【００１３】
本発明によれば、センサ部が一対の受金を結ぶ仮想直線の両側のアダプタ本体内に設けられるとともに、その受光窓がアダプタ本体の外周面と略同一面となるように設けられるので、センサ部がアダプタ本体のほぼ全周方向から受信信号を受信可能であり、器具本体などの他の工作物に干渉しないものである。  
【００１４】
請求項２に記載のアダプタ装置の発明は、請求項１記載のアダプタ装置において、前記制御回路部は、前記突出部に収納されていることを特徴とする。  
【００１５】
本発明によれば、制御回路部が突出部に収納されるので、アダプタ本体が大型化せず、アダプタ本体の外形がＧＸ５３形の口金部が装着されるソケット装置と同等に形成可能である。  
【００１６】
請求項３に記載の照明装置の発明は、前記突出部が挿入される挿通孔および前記一対の接続ピンがそれぞれ電気接続される一対の受金部を有するソケット装置と；このソケット装置の挿通孔に前記突出部が挿入され、前記一対の受金部に前記一対の接続ピンが電気接続するように前記ソケット装置に着脱可能に装着される請求項１または２記載のアダプタ装置と；このアダプタ装置の挿入孔に挿入される突出体および前記一対の受金に電気接続される一対のランプピンを有してなり、前記制御回路部により動作が制御されるランプ装置と；を具備していることを特徴とする。  
【００１７】
本発明によれば、ソケット装置とランプ装置との間にアダプタ装置が取り付けられることにより、例えばリモコン装置からの制御信号などの外部信号に応じてランプ装置の動作が制御される照明装置が提供される。
【発明の効果】
【００１８】
請求項１の発明によれば、センサ部は、その受光窓が器具本体などの他の工作物と干渉することなく、アダプタ本体のほぼ全周方向から受信信号を受信するので、アダプタ装置をソケット装置およびランプ装置の間に設けても、それらの外観を損なわれなくすることができる。  
【００１９】
請求項２の発明によれば、制御回路部が突出部に収納されるので、アダプタ装置をアダプタ装置が装着されるソケット装置と同等の大きさに形成することができる。  
【００２０】
請求項３の発明によれば、ソケット装置とランプ装置との間にアダプタ装置を取り付けて、アダプタ本体のセンサ部が受信する受信信号に応じてランプ装置の動作を制御する照明装置を提供することができる。
【図面の簡単な説明】
【００２１】
【図１】本発明の実施例１を示す照明装置の一部切り欠き概略側面図。
【図２】同じく、アダプタ装置を示し、（ａ）は概略上面図、（ｂ）は概略側面図、（ｃ）は概略下面図。
【発明を実施するための形態】
【００２２】
以下、本発明の一実施の形態について、図面を参照して説明する。  
【００２３】
本発明は、複数のセンサ部を、受光窓がアダプタ本体の外周面と同一面となるように設けて、一対の受金を結ぶ仮想直線の両側のアダプタ本体内に設けたものである。また、センサ部が受信した受信信号に応じてランプ装置の動作を制御する制御回路部を上面中央部に設けられた突出部に収納するものである。
【実施例１】
【００２４】
図１は、本発明の実施例１を示す照明装置の一部切り欠き概略側面図、図２は、同じく、アダプタ装置を示し、（ａ）は概略上面図、（ｂ）は概略側面図、（ｃ）は概略下面図である。  
【００２５】
図２において、アダプタ装置１は、アダプタ本体２、一対の接続ピン３，３、一対の接続孔４，４、センサ部５，５および制御回路部６を有して構成されている。  
【００２６】
アダプタ本体２は、例えばポリブチレンテレフタレート（ＰＢＴ）樹脂などの合成樹脂により、図２（ｂ）に示すように、円筒状に形成されている。また、上面２ａおよび下面２ｂは、それぞれ平坦状に形成されている。アダプタ本体２の内部は、空間となっている。  
【００２７】
そして、上面中央部に円筒状の突出部７が設けられている。この突出部７は、ソケット装置の挿通孔に挿入可能な大きさに形成されている。また、突出部７の高さは、当該挿通孔の深さの略１／２である。  
【００２８】
また、下面中央部には、円筒状の挿入孔（凹部）８が設けられている。この挿入孔８は、ランプ装置の突出体が挿入可能な大きさに形成され、その深さは、当該突出体の高さよりも大きくしている。  
【００２９】
一対の接続ピン３，３は、アダプタ本体２の上面２ａに突出して設けられたものであり、突出部７を挟み回転対称の位置に設けられている。そして、接続ピン３の先端部は、径大部９に形成されている。一対の接続ピン３，３は、ソケット装置の一対の受金部に接続されるものである。  
【００３０】
一対の接続孔４，４は、図２（ｃ）に示すように、アダプタ本体２の下面２ｂに挿入孔８を挟み回転対称に設けられ、図２（ｂ）に示すように、内側に一対の受金１０，１０が配設されている。一対の接続孔４，４には、前記一対の接続ピン３，３と同等に形成されたランプ装置の一対のランプピンが挿入され、この一対のランプピンが一対の受金１０，１０に電気接続するものである。すなわち、ランプ装置の一対のランプピンを一対の挿入孔４，４からアダプタ本体２内に挿入し、ランプ装置を回動させて一対のランプピンをアダプタ本体２に引っ掛けることにより、ランプ装置がアダプタ装置１に保持されるとともに、一対のランプピンが一対の受金１０，１０に接触して電気接続されるものである。  
【００３１】
センサ部５，５は、アダプタ本体２の上面２ａおよび下面２ｂに挟まれる外周面２ｃ側に設けられ、図２（ｂ）および図２（ｃ）に示すように、一対の受金１０，１０を結ぶ仮想直線の両側にそれぞれ外周面２ｃと略同一面に受光窓５ａが設けられて、アダプタ本体２内に設けられたものである。センサ部５，５は、例えばリモコン装置から送信された無線信号を受信する図示しない受光素子を備えている。当該無線信号は、例えばランプ装置を点灯または消灯させる制御信号である。  
【００３２】
制御回路部６は、センサ部５，５が受信した受信信号に応じて一対の受金１０，１０に接続されるランプ装置の動作を制御するように構成されている。すなわち、制御回路部６は、図示しないリード線により、入力側が一対の接続ピン３，３に接続され、出力側が一対の受金１０，１０に接続されているとともに、図示しない制御部およびリレーまたは半導体スイッチなどを備え、リモコン装置からの無線信号（制御信号）に応じて制御部がリレー又は半導体スイッチを制御することにより、ランプ装置を点灯または消灯させる。  
【００３３】
そして、制御回路部６は、アダプタ本体２の上面中央部に設けられた突出部７に収納されている。突出部７の内側は、比較的大きい内部空間となっており、制御回路部６を裕度をもって収納することができる。また、突出部７は、一対の接続ピン３，３、一対の受金１０，１０およびセンサ部５，５のそれぞれの中間に位置し、制御回路部６のそれらに対する配線が比較的容易になっている。  
【００３４】
上述したように構成されたアダプタ装置１は、そのセンサ部５，５が一対の受金１０，１０を結ぶ仮想直線の両側のアダプタ本体２内に設けられるとともに、その受光窓５ａがアダプタ本体２の外周面２ｃと略同一面に設けられるので、センサ部５，５がアダプタ本体２のほぼ全周方向から無線信号を受信することが可能であり、器具本体などの他の工作物に干渉しないものである。したがって、アダプタ装置１をソケット装置およびランプ装置の間に設けても、それらの外観を損なわせることを防止できる。  
【００３５】
また、制御回路部６は、アダプタ本体２の上面側中央部に設けられた突出部７に収納されるので、アダプタ本体２の外形が大きくならず、アダプタ本体２の外形の大きさを例えばＧＸ５３形の口金部が装着されるソケット装置と同等に形成することができる。  
【００３６】
そして、アダプタ装置１は、例えば、図１に示すように、ソケット装置１１およびランプ装置１２の間に設けられて照明装置１３を構成するものである。  
【００３７】
照明装置１３は、例えばダウンライトであり、器具本体１４、この器具本体１４に取り付けられたソケット装置１１、このソケット装置１１に着脱されるアダプタ装置１およびこのアダプタ装置１に着脱可能なランプ装置１２を備えている。器具本体１４は、金属製で、反射体が
一体に形成されており、円形の平板部１５およびこの平板部１５の周辺部から下方へ湾曲状に折り曲げられた反射板部１６を有している。反射板部１６は、下側に向かうにしたがって拡径されている。  
【００３８】
ソケット装置１１は、絶縁性を有する合成樹脂製で円筒状のソケット装置本体１７を有し、このソケット装置本体１７の中央部にアダプタ装置１の突出部７が挿入される挿通孔１８が貫通形成されている。また、ソケット装置本体１７の下面には、アダプタ装置１の一対の接続ピン３，３がそれぞれ挿入される一対の接続穴（図示しない。）および一対の接続ピン３，３が電気接続される一対の受金部１９，１９が設けられている。一対の接続穴および一対の受金部１９，１９は、アダプタ装置１の一対の接続孔４，４および一対の受金１０，１０と同等に形成されている。  
【００３９】
ランプ装置１２は、円筒状のランプ装置本体２０およびこのランプ装置本体２０の前面側に取り付けられたグローブ２１を有している。ランプ装置本体２０は、図示しない光源例えば発光ダイオードおよびこの発光ダイオードを点灯制御する電源回路などを設けている。  
【００４０】
そして、ランプ装置本体２０の上面２０ａには、アダプタ装置１の挿入孔８に挿入される突出体２２および一対の接続孔４，４に挿入されて一対の受金１０，１０に電気接続される一対のランプピン２３，２３が設けられている。突出体２２は、アダプタ装置１の挿入孔８に挿入可能な大きさに形成されている。また、ランプピン２３，２３は、アダプタ装置１のランプピン３，３と同等に形成されている。  
【００４１】
グローブ２１は、透光性を有する透明あるいは光拡散性を有するガラスや合成樹脂により形成されている。  
【００４２】
そして、アダプタ装置１は、ソケット装置１１の挿通孔１８に突出部７が挿入され、一対の受金部１９，１９に一対の接続ピン３，３が電気接続するようにして、ソケット装置１１に装着されている。そして、ランプ装置１２の突出体２２が挿入孔８に挿入され、一対のランプピン２３，２３が一対の受金１０，１０に電気接続されて、ランプ装置１１が取り付けられている。  
【００４３】
照明装置１３は、リモコン装置から送信された無線信号がアダプタ装置１のセンサ部５，５により受信され、その受信信号に応じてランプ装置１２の光源が点灯または消灯される。  
【００４４】
このように、ソケット装置１１とランプ装置１２との間にアダプタ装置１を取り付けることにより、リモコン装置からの制御信号に応じてランプ装置１２の動作が制御される照明装置１３を提供することができる。
【産業上の利用可能性】
【００４５】
本発明は、天井や器具本体等にソケット装置を有する照明器具に用いることができる。
【符号の説明】
【００４６】
１…アダプタ装置、  ２…アダプタ装置本体、  ３，３…接続ピン、  ４，４…一対の接続孔、  ５，５…センサ部、  ６…制御回路部、  １１…ソケット装置、  １２…ランプ装置、  １８…挿通孔  １９，１９…一対の受金部、  ２２…突出体、  ２３，２３…一対のランプピン
【図１】
2010238579.tif 000003
【図２】
2010238579.tif 000004